(57)【要約】  【課題】  本発明は、無線により放射線画像の送信を行う放射線検出カセッテを用いて撮影するときのセキュリティーを高くする。  【解決手段】  放射線検出カセッテ２０が、被写体を透過した放射線の照射を受けて放射線が表す画像情報を記録する放射線検出器２１を収容した放射線検出カセッテ本体２０Ａと、放射線検出器２１に記録された画像情報を送信するカセッテ側アンテナ２２とを有し、撮影室２が、カセッテ側アンテナ２２から送信される画像情報を受信する撮影室側アンテナ３と、撮影室２内の空間を囲うように設けられた、カセッテ側アンテナ２と撮影室側アンテナ３との間で伝送される電波が撮影室２外に漏洩するのを防止する電波遮蔽部４とを備えている。【選択図】          図１
2006094914.tif 000002
【特許請求の範囲】
【請求項１】
被写体を透過した放射線の照射を受けて該放射線が表す画像情報を取得する放射線検出カセッテと、該放射線検出カセッテが設置された撮影室とを備えた放射線画像撮影システムにおいて、
前記放射線検出カセッテが、
被写体を透過した放射線の照射を受けて該放射線が表す画像情報を記録する放射線検出器を収容した放射線検出カセッテ本体と、
前記放射線検出器に記録された前記画像情報を送信するカセッテ側アンテナと、
を有し、
前記撮影室が、
前記カセッテ側アンテナから送信される前記画像情報を受信する撮影室側アンテナと、
前記撮影室内の空間を囲うように設けられた、前記カセッテ側アンテナと前記撮影室側アンテナとの間で伝送される電波が前記撮影室外に漏洩するのを防止する電波遮蔽部と
を備えていることを特徴とする放射線画像撮影システム。
【請求項２】
前記カセッテ側アンテナが、前記撮影室側アンテナから送信される前記放射線検出カセッテの動作を制御する制御信号を受信する機能を有し、前記撮影室が複数設置されており、該各撮影室の前記撮影室側アンテナにネットワークにより接続された、該撮影室側アンテナを介して前記各放射線検出カセッテの動作を制御する制御装置をさらに備えるものであることを特徴とする請求項１に記載の放射線画像撮影システム。
【請求項３】
前記カセッテ側アンテナが、前記撮影室側アンテナから送信される前記放射線検出カセッテの動作を制御する制御信号を受信する機能を有し、前記撮影室が複数設置されており、該各撮影室の前記撮影室側アンテナにそれぞれ接続された、該撮影室側アンテナを介して前記各撮影室の前記放射線画像撮影装置の動作をそれぞれ制御する複数の制御装置をさらに備え、該複数の制御装置が、ネットワークにより接続されているものであることを特徴とする請求項１に記載の放射線画像撮影システム。
【発明の詳細な説明】
【技術分野】
【０００１】
本発明は、たとえばＦＰＤ（Ｆｌａｔ  Ｐａｎｅｌ  Ｄｅｔｅｃｔｏｒ）等の放射線検出器が収容された放射線検出カセッテを用いて放射線画像を取得する放射線画像撮影システムに関するものである。
【背景技術】
【０００２】
従来より、医療診断等を目的とする放射線撮影において、被写体を透過した放射線を検出し放射線画像を表す画像信号として出力する放射線固体検出器（半導体を主要部とするもの；以下単に検出器ともいう）が各種提案、実用化されており、これらの放射線固体検出器と該検出器から出力された画像信号を記憶する記憶手段としての画像メモリとをケースに収容した放射線検出カセッテも種々提案されている（たとえば特許文献１参照。）。
【０００３】
特許文献１のＸ線撮像装置は、Ｘ線検出器と無線によりこのＸ線検出器との間で通信を行う通信制御手段と、Ｘ線検出器と通信制御手段との間で通信を行う際に、各Ｘ線検出器にＩＤキーを割り当てるＩＤ付与手段とを有している。そして、Ｘ線検出器が撮影用寝台に装着されたときに、通信制御手段がＸ線検出器の装着を機械的に検出し、ＩＤ付与手段がＩＤキーを付与するようになっている。
【０００４】
また、上述のように画像情報の無線伝送を行ったときに、被写体に情報伝送のための無線電波が照射されるのを防止するため、カセッテに内蔵された指向性アンテナを調整可能な放射線画像撮影装置が提案されている（たとえば特許文献２参照。）。特許文献２において、カセッテ側の送受信アンテナは、放射線入射面に対して裏向きに指向性を有している。一方、カセッテを支持する架台にも送受信アンテナが配置されており、カセッテ側の送受信アンテナと架台側の送受信アンテナとが対向するように設けられた構造を有している。
【特許文献１】特開２００２−１９１５８６号公報
【特許文献２】特開２００３−２１０４４４号公報
【発明の開示】
【発明が解決しようとする課題】
【０００５】
しかし、上記特許文献１、２のように、カセッテに記憶された画像情報を無線により送受信したときには、たとえアンテナに指向性を持たせたとしても、撮影室から電波が外部に漏れ、他人が漏れた電波を傍受し得る可能性がある。通常、暗号化や認証の働きにより、漏れた電波から直ちに被写体の画像情報が取得される場合は少ないが、それら暗号化や認証が無効化される可能性はゼロとは言えない。
【０００６】
そこで、本発明は、無線により放射線画像の送信を行う放射線検出カセッテを用いて撮影するときにセキュリティーの高い放射線画像撮影システムを提供することを目的とするものである。
【課題を解決するための手段】
【０００７】
本発明の放射線画像撮影システムは、被写体を透過した放射線の照射を受けて該放射線が表す画像情報を取得する放射線検出カセッテと、放射線検出カセッテが設置された撮影室とを備えた放射線画像撮影システムにおいて、放射線検出カセッテが、被写体を透過した放射線の照射を受けて該放射線が表す画像情報を記録する放射線検出器を収容した放射線検出カセッテ本体と、放射線検出器に記録された画像情報を送信するカセッテ側アンテナと、を有し、撮影室が、カセッテ側アンテナから送信される画像情報を受信する撮影室側アンテナと、撮影室内の空間を囲うように設けられた、カセッテ側アンテナと撮影室側アンテナとの間で伝送される電波が撮影室外に漏洩するのを防止する電波遮蔽部とを備えていることを特徴とするものである。
【０００８】
ここで、放射線検出カセッテは、放射線検出カセッテ本体に放射線検出器が収容されるような運搬自在なものであり、立位型の放射線画像撮影システムであれば放射線検出カセッテは架台に保持されることになり、仰臥型の放射線撮影システムであればベッドと被写体との間に配置されることになる。
【０００９】
なお、カセッテ側アンテナは、画像情報を送信する機能のみならず、撮影室側アンテナから送信される放射線検出カセッテの動作を制御する制御信号を受信する機能を有していてもよい。
【００１０】
また、撮影室は、１つのみ設置されているものであってもよいし、２つ以上設置されているものであってもよい。撮影室が複数設置されている場合、各撮影室毎の複数の撮影室側アンテナに接続された、カセッテの動作を制御するための制御装置をさらに備えていていてもよい。
【００１１】
ここで、制御装置は、１つだけ設けられており複数の撮影室側アンテナに接続されたものであってもよいし、複数設けられており各撮影室側アンテナ毎にそれぞれ接続されたものであってもよい。複数の制御装置が設けられている場合、この複数の制御装置同士がネットワークによりデータ伝送可能に接続されていてもよい。
【発明の効果】
【００１２】
本発明の放射線画像撮影システムによれば、撮影室が撮影室内の空間を覆うように設けられた、カセッテ側アンテナおよび撮影室側アンテナから発信される電波を遮蔽する電波遮蔽部を備えていることにより、カセッテ側アンテナと撮影室側アンテナとの間で画像情報の送受信が行われたとき、電波遮蔽部により画像情報を有する電波が撮影室の外部へ漏洩するのを防止することができるため、放射線検出カセッテの可搬性により利便性を確保しつつ、放射線検出カセッテから画像情報を無線により送受信する際のセキュリティーの向上を図ることができる。
【００１３】
なお、カセッテ側アンテナが、撮影室側アンテナから送信される放射線検出カセッテの動作を制御する制御信号を受信する機能を有し、撮影室が複数設置されており、各撮影室の撮影室側アンテナにネットワークにより接続された、撮影室側アンテナを介して各放射線検出カセッテの動作を制御する制御装置をさらに備えるものであれば、各撮影室に設置された複数の放射線検出カセッテの動作を制御装置を用いて制御することができるようになる。
【００１４】
また、カセッテ側アンテナが、撮影室側アンテナから送信される放射線検出カセッテの動作を制御する制御信号を受信する機能を有し、撮影室が複数設置されており、各撮影室の撮影室側アンテナにそれぞれ接続された、撮影室側アンテナを介して各撮影室の放射線画像撮影装置の動作をそれぞれ制御する複数の制御装置をさらに備え、複数の制御装置が、ネットワークにより接続されているものであれば、各制御装置は撮影室に設置された１つの放射線画像撮影装置の制御および放射線画像撮影装置からの画像情報の取得を行えばよいため、放射線検出カセッテそれぞれに固有の識別番号等を付与する必要がなくなる。
【発明を実施するための最良の形態】
【００１５】
以下、図面を参照して本発明の放射線画像撮影システムの実施の形態を詳細に説明する。図１は本発明の放射線画像撮影システムの一例を示す構成図である。この放射線画像撮影システム１は、被写体Ｓを透過した放射線を撮影し画像情報を取得する放射線画像撮影装置１０と、放射線画像撮影装置１０が設置された撮影室２とを備えている。図１においては、撮影室２に立位型の放射線画像撮影装置１０が設置されており、この放射線画像撮影装置１０に対し被写体Ｓがたとえば胸部等の被写体Ｓの撮影したい部位を位置決めするようになっている。さらに、放射線画像撮影システム１は、撮影室２外に設置された放射線画像撮影装置１０の動作を制御するための制御装置３０を有しており、放射線技師がこの制御装置３０を操作することにより、被写体Ｓの撮影操作を行うようになっている。
【００１６】
図２は図１の放射線画像撮影装置１０の一例を示す模式図であり、図1と図２を参照して放射線画像撮影装置１０について説明する。放射線画像撮影装置１０は、架台１１と、架台１１に着脱可能に取り付けられた、被写体Ｓを透過した放射線を画像情報として記録する放射線検出器２１を内蔵した放射線検出カセッテ２０と、放射線検出カセッテ２０に設けられた、放射線検出器２１に記録された画像情報を送信するカセッテ側アンテナ２２とを有している。
【００１７】
ここで、図１に示すように、放射線画像撮影装置１０は、架台１１に取り付けられた放射線検出カセッテ２０に向かって放射線を射出するＸ線源１０Ａを有し、被写体ＳはＸ線源１０Ａと架台１１との間に位置することにより撮影が行われるようになっている。
【００１８】
架台１１は、図２に示すように、たとえば放射線検出カセッテ２０を収容可能な大きさの収容ボックス１２を有し、この収容ボックス１２に放射線検出カセッテ２０が着脱可能に収容されるようになっている。なお、架台１１は、図２に示すような収容ボックス１２により放射線検出カセッテ２０を着脱可能に保持する場合に限らず、たとえば放射線検出カセッテ２０の上下側および側面側を保持する保持板や係止片等を有するような構造であってもよい。
【００１９】
放射線検出カセッテ２０は、被写体Ｓを透過した放射線を画像情報として記録する放射線検出器２１と、放射線検出器２１を収容した放射線検出カセッテ本体２０Ａとを有している。この放射線検出器２１は、たとえばガラス基板上に蛍光板と光電変換素子とが積層された構造を有し、放射線が照射されたとき、放射線の曝射量に比例した電荷を画像情報として蓄積する機能を有している。
【００２０】
さらに、放射線検出カセッテ２０は、放射線検出器２１に記録された画像情報の画像処理を行うと共に、制御装置３０からの撮影指示に基づいて放射線検出器２１の動作を制御するカセッテ制御手段２３を有している。このカセッテ制御手段２３は、放射線検出器２１から電荷として記録された画像情報を読取り、画像処理を行うようになっている。また、カセッテ制御手段２３はカセッテ側アンテナ２２に電気的に接続されており、放射線検出器２１に記録され画像処理が施された画像情報をカセッテ側アンテナ２２から送信するようになっている。
【００２１】
カセッテ側アンテナ２２は、たとえば放射線検出カセッテ本体２０Ａの架台１１に対向する面に取り付けられており、放射線検出器２１に記録された画像情報を送信するとともに放射線検出カセッテ２０の動作を制御する制御信号を受信する機能を有している。カセッテ側アンテナ２２において制御信号が受信されたとき、カセッテ制御手段２３は制御信号に基づいて放射線検出カセッテ２０の動作を制御するようになっている。
【００２２】
この制御信号は、撮影室２内に設置された撮影室側アンテナ３により送信されるようになっている。具体的には、撮影室側アンテナ３は、架台１１に設置されており、放射線検出カセッテ２０が架台１１に取り付けられたときに、カセッテ側アンテナ２２に対し対向する位置に取り付けられている。この撮影室側アンテナ３は、制御装置３０に対しケーブル３２を用いて情報伝送可能に接続されており、制御装置３０からの指令が撮影室側アンテナ３を介してカセッテ側アンテナ２２に送信されるようになっている。
【００２３】
なお、図２の撮影室側アンテナ３は架台１１内に設置されている場合について例示しているが、カセッテ側アンテナ２２との間で送受信可能であれば撮影室２内のいずれの場所に配置されていればよい。
【００２４】
ここで、放射線検出カセッテ２０に記録された画像情報を撮影室側アンテナ３とカセッテ側アンテナ２２と間で無線により送受信したとき、画像情報を有する電波が撮影室２の外部に漏れてしまう場合がある。この漏れた電波を撮影室２外において他人が受信すれば、被写体の画像情報を取得することができセキュリティー上の好ましくないという問題がある。
【００２５】
そこで、図１の撮影室２は、撮影室２内の空間を囲うように設けられた、カセッテ側アンテナ２２と撮影室側アンテナ３との間で伝送される電波が撮影室２外に漏洩するのを防止する電波遮蔽部４を有した構造になっている。この電波遮蔽部４は、たとえばアルミニウム等からなる金属板を撮影室の壁、天井および床の表面に貼付けるもしくは壁等に埋め込むことにより形成されている。これにより、カセッテ側アンテナ２２と撮影室側アンテナ３との間で画像情報の送受信が行われたとき、電波遮蔽部４が画像情報を有する電波が撮影室２の外部へ漏洩するのを防止することができるため、放射線検出カセッテの可搬性により利便性を確保しつつ、画像情報を無線により送受信する際のセキュリティーの向上を図ることができる。
【００２６】
図３と図４は本発明の放射線画像撮影システムの別の実施の形態を示す構成図であり、図３と図４を参照して放射線画像撮影システム１００、２００について説明する。なお、図３と図４の放射線画像撮影システム１００、２００において、図１および図２に示す放射線画像撮影システム１と同一の構成を有する部位には同一の符号を付してその説明を省略する。
【００２７】
図３と図４の放射線画像撮影システム１００、２００が、図１の放射線画像撮影装置１０と異なる点は複数の撮影室２を有している点である。具体的には、図３の放射線画像撮影システム１００は、複数の撮影室２内にそれぞれ設置された複数の撮影室側アンテナ３がたとえばＬＡＮ等のネットワーク５に接続されている。また、このネットワークには制御装置３０および放射線画像撮影装置１０により撮影された画像情報を一元管理する画像管理装置４０が接続されている。そして、各制御装置３０は、それぞれ放射線画像撮影装置１０の動作を制御することにより画像情報を取得し、取得した画像を画像管理装置４０に送信するようになっている。
【００２８】
図３のような構成を有する放射線画像撮影システム１００であっても、図１に示すように撮影室２が電波遮蔽部４を有することにより、カセッテ側アンテナ２２と撮影室側アンテナ３との間で画像情報の送受信が行われたとき、電波遮蔽部４が画像情報を有する電波が撮影室２の外部へ漏洩するのを防止することができるため、画像情報を無線により送受信する際のセキュリティーの向上を図ることができる。
【００２９】
また、複数の放射線検出カセッテ２０に対して１つの撮影室側アンテナ３を設置する場合と異なり、各撮影室２に撮影室側アンテナ３を設置することにより、撮影室２毎に放射線検出カセッテ２０の数が限定されるため、放射線検出カセッテ２０の数が増加することによる通信スループットが落ちるのを防止することにより、常に一定通信速度の通信が可能となる。
【００３０】
なお、図３の放射線画像撮影システム１００において、各撮影室２毎にそれぞれ制御装置３０が設置されている場合について例示しているが、１つの制御装置３０が複数の撮影室側アンテナ３に接続されており、各撮影室２の放射線画像撮影装置１０を１つの制御装置３０により制御するようにしてもよい。
【００３１】
図４の放射線画像撮影システム２００は、複数の撮影室２を有しており、各撮影室に配置された各撮影室側アンテナ３毎にそれぞれ制御装置３０が接続されている。この複数の制御装置３０がそれぞれ有線・無線ＬＡＮ等のネットワークによりデータ伝送可能に接続されている。また、ネットワークには画像情報を管理するための画像管理サーバが接続されており、制御装置３０が取得した画像情報を画像管理サーバ５０が一元管理するようになっている。そして、各制御装置３０は、それぞれ放射線画像撮影装置１０の動作を制御することにより画像情報を取得し、取得した画像を画像管理装置４０に送信するようになっている。
【００３２】
図４のような構成を有する放射線画像撮影システム２００であっても、図１に示すように撮影室２が電波遮蔽部４を有することにより、カセッテ側アンテナ２２と撮影室側アンテナ３との間で画像情報の送受信が行われたとき、電波遮蔽部４が画像情報を有する電波が撮影室２の外部へ漏洩するのを防止することができるため、放射線検出カセッテの可搬性により利便性を確保しつつ、画像情報を無線により送受信する際のセキュリティーの向上を図ることができる。
【００３３】
また、各撮影室２毎に制御装置３０が設けることにより、撮影室２内にある放射線検出カセッテと撮影室２に割り当てた制御装置３０間で通信を行うことになるため、放射線検出カセッテ２０と制御装置３０との対応関係を予め規定しておく必要がなくなる。
【００３４】
上記各実施の形態によれば、撮影室２が撮影室２内の空間を覆うように設けられた、カセッテ側アンテナ２２および撮影室側アンテナ３から発信される電波を遮蔽する電波遮蔽部４を備えていることにより、カセッテ側アンテナ２２と撮影室側アンテナ３との間で画像情報の送受信が行われたとき、電波遮蔽部４により画像情報を有する電波が撮影室２の外部へ漏洩するのを防止することができるため、放射線検出カセッテの可搬性により利便性を確保しつつ、画像情報を無線により送受信する際のセキュリティーの向上を図ることができる。
【００３５】
本発明の実施の形態は上記実施の形態に限定されない。たとえば、図１において立位型の放射線画像撮影装置１０が設置されている場合について例示しているが、臥位型の放射線画像撮影装置１０であってもよい。
【００３６】
また、図１の電波遮蔽部４は、アルミニウム板からなる場合について例示しているが、アルミニウム以外の他の金属導体板や金網などからなっていてもよいし、セラミック、発泡材料にカーボンを塗布したものなど電波吸収体を用いるようにしてもよい。
【図面の簡単な説明】
【００３７】
【図１】本発明の放射線画像撮影システムの好ましい実施の形態を示す構成図
【図２】本発明の放射線画像撮影システムにおける放射線検出カセッテの一例を示す模式図
【図３】本発明の放射線画像撮影システムの別の実施の形態を示す模式図
【図４】本発明の放射線画像撮影システムの別の実施の形態を示す模式図
【符号の説明】
【００３８】
１、１００、２００    放射線画像撮影システム
２     撮影室
３     撮影室側アンテナ
４     電波遮蔽部
５     ネットワーク
１０   放射線画像撮影装置
１１   架台
２０   放射線検出カセッテ
２０Ａ 放射線検出カセッテ本体
２１   放射線検出器
２２   カセッテ側アンテナ
２３   カセッテ制御手段
３０   制御装置
Ｓ     被写体
【図１】
2006094914.tif 000003
【図２】
2006094914.tif 000004
【図３】
2006094914.tif 000005
【図４】
2006094914.tif 000006